(57)【要約】【課題】待機期間を削減することが可能な制御システム、制御方法、電気機器、外部コントローラおよびプログラムを提供する。【解決手段】電気機器１２は、リモコン１００から送信された指示信号を受信すると、その後、操作端末１０１から送信された指示信号をＨＥＭＳコントローラ１１を介して受信しても、その受信した指示信号に基づく制御を禁止する対象制御部１２１ａと、制御が禁止される期間を、リモコン１００から送信された指示信号の内容に応じて設定する設定部１２１ｃと、を備える。【選択図】図２
2015035716.tif 000002
【特許請求の範囲】
【請求項１】
自機に対する制御指示を示す指示信号を、前記指示信号の送信エリアが予め定められているリモートコントローラから受信する電気機器と、前記電気機器に対する制御指示を示す指示信号を、前記送信エリア内に加え、前記送信エリア外からも送信可能な操作端末から受信して、前記電気機器に送信する外部コントローラと、を備える制御システムであって、
前記電気機器は、
前記リモートコントローラから送信された前記指示信号に応じて、または、前記操作端末から送信された前記指示信号に応じて、制御の対象である制御対象部を制御する対象制御部と、
前記リモートコントローラから送信された前記指示信号を受信すると、その後、前記操作端末から送信された前記指示信号を前記外部コントローラを介して受信しても、その受信した指示信号に基づく前記対象制御部による制御を禁止する制御禁止部と、
前記対象制御部による制御が前記制御禁止部で禁止される期間を、前記リモートコントローラから送信された前記指示信号の内容に応じて設定する設定部と、
を備えることを特徴とする制御システム。
【請求項２】
前記制御禁止部は、前記対象制御部による制御を禁止している期間中に、前記操作端末から送信された前記指示信号を前記外部コントローラを介して受信した場合、その受信した指示信号の内容が、予め定められた例外条件に該当すれば、前記操作端末から送信された前記指示信号に応じた前記対象制御部による制御を、例外的に許可することを特徴とする、
請求項１に記載の制御システム。
【請求項３】
前記電気機器は、
前記対象制御部による制御が前記制御禁止部で禁止されている期間中に、前記操作端末から送信された前記指示信号を前記外部コントローラを介して受信した場合、その受信した指示信号の内容を表す内容信号を、前記外部コントローラに送信する第１の内容信号送信部を備え、
前記外部コントローラは、
前記操作端末と無線通信が可能であり、
前記第１の内容信号送信部から送信された内容信号を、最大の信号強度を示す前記操作端末に送信する第２の内容信号送信部と、
前記第２の内容信号送信部が前記内容信号を送信した前記操作端末から、前記内容信号で表される内容の制御を許可する旨を示す許可信号を受信すると、その許可信号を前記電気機器に送信する許可信号転送部と、を備え、
前記制御禁止部は、
前記許可信号を受信すると、前記操作端末から送信された前記指示信号に応じた前記対象制御部による制御を、例外的に許可することを特徴とする、
請求項１に記載の制御システム。
【請求項４】
自機に対する制御指示を示す指示信号を、前記指示信号の送信エリアが予め定められているリモートコントローラから受信する電気機器と、前記電気機器に対する制御指示を示す指示信号を、前記送信エリア内に加え、前記送信エリア外からも送信可能な操作端末から受信して、前記電気機器に送信する外部コントローラと、を備える制御システムであって、
前記電気機器は、
前記リモートコントローラから送信された前記指示信号に応じて、または、前記操作端末から送信された前記指示信号に応じて、制御の対象である制御対象部を制御する対象制御部と、
前記リモートコントローラから送信された前記指示信号を受信すると、その受信した指示信号の内容を含む受付信号を、前記外部コントローラに送信する受付信号送信部と、を備え、
前記外部コントローラは、
前記受付信号送信部から送信された前記受付信号を受信すると、その後、前記操作端末から送信された前記指示信号を受信しても、その受信した指示信号の前記電気機器への送信を禁止する送信禁止部と、
前記指示信号の前記電気機器への送信が前記送信禁止部で禁止される期間を、前記受付信号送信部から送信された前記受付信号に含まれる前記指示信号の内容に応じて設定する設定部と、
を備えることを特徴とする制御システム。
【請求項５】
自機に対する制御指示を示す指示信号を、前記指示信号の送信エリアが予め定められているリモートコントローラから受信する電気機器と、前記電気機器に対する制御指示を示す指示信号を、前記送信エリア内に加え、前記送信エリア外からも送信可能な操作端末から受信して、前記電気機器に送信する外部コントローラと、を備える制御システムであって、
前記電気機器は、
前記リモートコントローラから送信された前記指示信号に応じて、または、前記操作端末から送信された前記指示信号に応じて、制御の対象である制御対象部を制御する対象制御部を備え、
前記外部コントローラは、
前記電気機器の制御状態を示す状態データを前記電気機器から複数のタイミングで受信して、前記状態データで示される最新の制御状態に変化があれば、前記変化の要因となった制御を指示した前記指示信号が、前記リモートコントローラから送信された信号であるかを判定する判定部と、
前記変化の要因となった制御を指示した前記指示信号が前記リモートコントローラから送信されたと前記判定部で判定されると、その後、前記操作端末から送信された前記指示信号を受信しても、その受信した指示信号の前記電気機器への送信を禁止する送信禁止部と、
前記指示信号の前記電気機器への送信が前記送信禁止部で禁止される期間を、前記変化の要因となった制御を指示した前記リモートコントローラからの前記指示信号の内容に応じて設定する設定部と、
を備えることを特徴とする制御システム。
【請求項６】
前記送信禁止部は、前記指示信号の前記電気機器への送信を禁止している期間中に、前記操作端末から送信された前記指示信号を受信した場合、その受信した指示信号の内容が、予め定められた例外条件に該当すれば、前記操作端末から送信された前記指示信号の前記電気機器への送信を、例外的に許可することを特徴とする、
請求項４または５に記載の制御システム。
【請求項７】
前記外部コントローラは、
前記操作端末と無線通信が可能であり、
前記指示信号の前記電気機器への送信が前記送信禁止部で禁止される期間中に、前記操作端末から送信された前記指示信号を受信した場合、その受信した指示信号の内容を表す内容信号を、最大の信号強度を示す前記操作端末に送信する指示内容信号送信部と、
前記内容信号で表される内容の制御を許可する旨を示す許可信号を、前記指示内容信号送信部が前記内容信号を送信した前記操作端末から受信する許可信号受信部と、を備え、
前記送信禁止部は、
前記許可信号受信部で前記許可信号が受信されると、前記操作端末から送信された前記指示信号の前記電気機器への送信を、例外的に許可することを特徴とする、
請求項４または５に記載の制御システム。
【請求項８】
前記設定部は、前記指示信号の内容に加え、前記電気機器で計測されるデータの内容に応じて、期間を設定することを特徴とする、
請求項１から７のいずれか一項に記載の制御システム。
【請求項９】
自機に対する制御指示を示す指示信号を、前記指示信号の送信エリアが予め定められているリモートコントローラから受信する電気機器と、前記電気機器に対する制御指示を示す指示信号を、前記送信エリア内に加え、前記送信エリア外からも送信可能な操作端末から受信して、前記電気機器に送信する外部コントローラと、を備える制御システムの制御方法であって、
前記電気機器が、前記リモートコントローラから送信された前記指示信号に応じて、または、前記操作端末から送信された前記指示信号に応じて、制御の対象を制御する対象制御ステップと、
前記電気機器が、前記リモートコントローラから送信された前記指示信号を受信すると、その後、前記操作端末から送信された前記指示信号を前記外部コントローラを介して受信しても、その受信した指示信号に基づく前記対象制御ステップによる制御を禁止する制御禁止ステップと、
前記電気機器が、前記対象制御ステップによる制御が前記制御禁止ステップで禁止される期間を、前記リモートコントローラから送信された前記指示信号の内容に応じて設定する設定ステップと、
を含むことを特徴とする制御方法。
【請求項１０】
自機に対する制御指示を示す指示信号を、前記指示信号の送信エリアが予め定められているリモートコントローラから受信する電気機器と、前記電気機器に対する制御指示を示す指示信号を、前記送信エリア内に加え、前記送信エリア外からも送信可能な操作端末から受信して、前記電気機器に送信する外部コントローラと、を備える制御システムの制御方法であって、
前記電気機器が、前記リモートコントローラから送信された前記指示信号に応じて、または、前記操作端末から送信された前記指示信号に応じて、制御の対象を制御する対象制御ステップと、
前記電気機器が、前記リモートコントローラから送信された前記指示信号を受信すると、その受信した指示信号の内容を含む受付信号を、前記外部コントローラに送信する受付信号送信ステップと、
前記外部コントローラが、前記受付信号送信ステップで送信された前記受付信号を受信すると、その後、前記操作端末から送信された前記指示信号を受信しても、その受信した指示信号の前記電気機器への送信を禁止する送信禁止ステップと、
前記外部コントローラが、前記指示信号の前記電気機器への送信が前記送信禁止ステップで禁止される期間を、前記受付信号送信ステップで送信された前記受付信号に含まれる前記指示信号の内容に応じて設定する設定ステップと、
を含むことを特徴とする制御方法。
【請求項１１】
自機に対する制御指示を示す指示信号を、前記指示信号の送信エリアが予め定められているリモートコントローラから受信する電気機器と、前記電気機器に対する制御指示を示す指示信号を、前記送信エリア内に加え、前記送信エリア外からも送信可能な操作端末から受信して、前記電気機器に送信する外部コントローラと、を備える制御システムの制御方法であって、
前記電気機器が、前記リモートコントローラから送信された前記指示信号に応じて、または、前記操作端末から送信された前記指示信号に応じて、制御の対象を制御する対象制御ステップと、
前記外部コントローラが、前記電気機器の制御状態を示す状態データを前記電気機器から複数のタイミングで受信して、前記状態データで示される最新の制御状態に変化があれば、前記変化の要因となった制御を指示した前記指示信号が、前記リモートコントローラから送信された信号であるかを判定する判定ステップと、
前記外部コントローラが、前記変化の要因となった制御を指示した前記指示信号が前記リモートコントローラから送信されたと前記判定ステップで判定されると、その後、前記操作端末から送信された前記指示信号を受信しても、その受信した指示信号の前記電気機器への送信を禁止する送信禁止ステップと、
前記外部コントローラが、前記指示信号の前記電気機器への送信が前記送信禁止ステップで禁止される期間を、前記変化の要因となった制御を指示した前記リモートコントローラからの前記指示信号の内容に応じて設定する設定ステップと、
を含むことを特徴とする制御方法。
【請求項１２】
自機に対する制御指示を示す指示信号を、前記指示信号の送信エリアが予め定められているリモートコントローラから受信する第１の受信部と、
前記自機に対する制御指示を示す指示信号を、前記送信エリア内に加え、前記送信エリア外からも送信可能な操作端末から受信する第２の受信部と、
前記第１の受信部で受信された前記指示信号に応じて、または、前記第２の受信部で受信された前記指示信号に応じて、制御の対象である制御対象部を制御する対象制御部と、
前記第１の受信部で前記指示信号を受信すると、その後、前記第２の受信部で前記指示信号を受信しても、その受信した指示信号に基づく前記対象制御部による制御を禁止する制御禁止部と、
前記対象制御部による制御が前記制御禁止部で禁止される期間を、前記第１の受信部で受信された前記指示信号の内容に応じて設定する設定部と、
を備えることを特徴とする電気機器。
【請求項１３】
電気機器に対する制御指示を示す指示信号を、前記指示信号を前記電気機器に送信可能なリモートコントローラの送信エリア内に加えて、前記送信エリア外からも送信可能な操作端末から受信して、前記電気機器に送信する外部コントローラであって、
前記リモートコントローラから前記指示信号が前記電気機器に送信され、その指示信号の内容を含む受付信号を前記電気機器から受信すると、その後、前記操作端末から送信された前記指示信号を受信しても、その受信した指示信号の前記電気機器への送信を禁止する送信禁止部と、
前記指示信号の前記電気機器への送信が前記送信禁止部で禁止される期間を、前記受付信号に含まれる前記指示信号の内容に応じて設定する設定部と、
を備えることを特徴とする外部コントローラ。
【請求項１４】
電気機器に対する制御指示を示す指示信号を、前記指示信号を前記電気機器に送信可能なリモートコントローラの送信エリア内に加えて、前記送信エリア外からも送信可能な操作端末から受信して、前記電気機器に送信する外部コントローラであって、
前記電気機器の制御状態を示す状態データを前記電気機器から複数のタイミングで受信して、前記状態データで示される最新の制御状態に変化があれば、前記変化の要因となった制御を指示した前記指示信号が、前記リモートコントローラから送信された信号であるかを判定する判定部と、
前記変化の要因となった制御を指示した前記指示信号が前記リモートコントローラから送信されたと前記判定部で判定されると、その後、前記操作端末から送信された前記指示信号を受信しても、その受信した指示信号の前記電気機器への送信を禁止する送信禁止部と、
前記指示信号の前記電気機器への送信が前記送信禁止部で禁止される期間を、前記変化の要因となった制御を指示した前記リモートコントローラからの前記指示信号の内容に応じて設定する設定部と、
を備えることを特徴とする外部コントローラ。
【請求項１５】
コンピュータに、
指示信号の送信エリアが予め定められているリモートコントローラからの前記指示信号を受信する第１の受信部で受信された前記指示信号に応じて、または、前記送信エリア内に加えて、前記送信エリア外からも前記指示信号を送信可能な操作端末からの前記指示信号を受信する第２の受信部で受信された前記指示信号に応じて、制御の対象である制御対象部を制御する対象制御機能、
前記第１の受信部で前記指示信号を受信すると、その後、前記第２の受信部で前記指示信号を受信しても、その受信した指示信号に基づく前記対象制御機能による制御を禁止する制御禁止機能、
前記対象制御機能による制御が前記制御禁止機能で禁止される期間を、前記第１の受信部で受信された前記指示信号の内容に応じて設定する設定機能、
を実現させるプログラム。
【請求項１６】
電気機器に対する制御指示を示す指示信号を、前記指示信号を前記電気機器に送信可能なリモートコントローラの送信エリア内に加えて、前記送信エリア外からも送信可能な操作端末から受信して、前記電気機器に送信する外部コントローラを制御するコンピュータに、
前記リモートコントローラから前記指示信号が前記電気機器に送信され、その指示信号の内容を含む受付信号を前記電気機器から受信すると、その後、前記操作端末から送信された前記指示信号を受信しても、その受信した指示信号の前記電気機器への送信を禁止する送信禁止機能、
前記指示信号の前記電気機器への送信が前記送信禁止機能で禁止される期間を、前記受付信号に含まれる前記指示信号の内容に応じて設定する設定機能、
を実現させるプログラム。
【請求項１７】
電気機器に対する制御指示を示す指示信号を、前記指示信号を前記電気機器に送信可能なリモートコントローラの送信エリア内に加えて、前記送信エリア外からも送信可能な操作端末から受信して、前記電気機器に送信する外部コントローラを制御するコンピュータに、
前記電気機器の制御状態を示す状態データを前記電気機器から複数のタイミングで受信して、前記状態データで示される最新の制御状態に変化があれば、前記変化の要因となった制御を指示した前記指示信号が、前記リモートコントローラから送信された信号であるかを判定する判定機能、
前記変化の要因となった制御を指示した前記指示信号が前記リモートコントローラから送信されたと前記判定機能で判定されると、その後、前記操作端末から送信された前記指示信号を受信しても、その受信した指示信号の前記電気機器への送信を禁止する送信禁止機能、
前記指示信号の前記電気機器への送信が前記送信禁止機能で禁止される期間を、前記変化の要因となった制御を指示した前記リモートコントローラからの前記指示信号の内容に応じて設定する設定機能、
を実現させるプログラム。
【発明の詳細な説明】
【技術分野】
【０００１】
本発明は、制御システム、制御方法、電気機器、外部コントローラおよびプログラムに関する。
【背景技術】
【０００２】
空調機を構成する室内機等の負荷を制御するシステムとして、例えば、特許文献１に記載の遠隔制御システムが知られている。
【０００３】
この遠隔制御システムは、負荷の操作が可能なスイッチであり、且つ、負荷の状況をユーザが把握し得る位置に配置された手元スイッチのユーザ操作が行われた場合、その後の一定期間に、負荷の遠隔操作が可能なコントローラのユーザ操作が行われても、そのユーザ操作を受け付けない。
【０００４】
よって、手元スイッチのユーザ操作が（負荷の状況を把握しているユーザのユーザ操作が）、負荷から離れた位置にいるユーザのコントローラ操作により解除されることを、一定期間、防止できる。従って、負荷の状況を把握しているユーザのユーザ操作後に、例えば、負荷の状況に合わない制御が、或いは、負荷の状況を把握しているユーザが予期しない制御（手元スイッチを操作可能な位置にいるユーザが予期しない制御）が行われることを、一定期間、防止できる。
【先行技術文献】
【特許文献】
【０００５】
【特許文献１】特開平１−２６４４９９号公報
【発明の概要】
【発明が解決しようとする課題】
【０００６】
特許文献１に記載された遠隔制御システムは、手元スイッチのユーザ操作が行われると、手元スイッチの操作内容に拘わらず一定期間、コントローラのユーザ操作を受け付けない。よって、特許文献１に記載された遠隔制御システムによれば、コントローラを操作するユーザに無駄な待機時間が発生し得るという問題がある。
【０００７】
本発明は、上記実情に鑑みてなされたものであり、待機期間を削減することが可能な制御システム、制御方法、電気機器、外部コントローラおよびプログラムを提供することを目的とする。
【課題を解決するための手段】
【０００８】
上記目的を達成するために、この発明に係る制御システムは、自機に対する制御指示を示す指示信号を、指示信号の送信エリアが予め定められているリモートコントローラから受信する電気機器と、電気機器に対する制御指示を示す指示信号を、送信エリア内に加え、送信エリア外からも送信可能な操作端末から受信して、電気機器に送信する外部コントローラと、を備える。電気機器の対象制御部は、リモートコントローラから送信された指示信号に応じて、または、操作端末から送信された指示信号に応じて、制御の対象である制御対象部を制御する。電気機器の制御禁止部は、リモートコントローラから送信された指示信号を受信すると、その後、操作端末から送信された指示信号を外部コントローラを介して受信しても、その受信した指示信号に基づく対象制御部による制御を禁止する。電気機器の設定部は、対象制御部による制御が制御禁止部で禁止される期間を、リモートコントローラから送信された指示信号の内容に応じて設定する。
【発明の効果】
【０００９】
本発明によれば、設定部は、操作端末から送信された指示信号による制御が禁止される期間を、リモートコンロトーラから送信された指示信号の内容に応じて設定する。よって、リモートコンロトーラから送信された指示信号の内容に拘わらず一定期間、操作端末から送信された指示信号による制御を禁止するシステムと比較して、待機期間を削減することが可能である。
【図面の簡単な説明】
【００１０】
【図１】実施の形態１に係る制御システムを示す図である。
【図２】実施の形態１に係る制御システムのブロック図である。
【図３】実施の形態１に係る禁止テーブルを示す図である。
【図４】実施の形態１に係る制御システムの動作を示す図である。
【図５】実施の形態１に係る禁止期間カウント処理を示すフローチャートである。
【図６】実施の形態２に係る制御システムのブロック図である。
【図７】実施の形態２に係る制御システムの動作を示す図である。
【図８】実施の形態３に係る制御システムの動作を示す図である。
【図９】実施の形態４に係る制御システムのブロック図である。
【図１０】実施の形態４に係る制御システムの動作を示す図である。
【図１１】例外テーブルを示す図である。
【発明を実施するための形態】
【００１１】
（実施の形態１）
以下、本発明の実施の形態１に係る制御システム１０を、図１〜５を参照して説明する。図１に示す制御システム１０は、操作端末１０１から送信された操作信号に含まれる指示信号を電気機器１２に送信する１台のＨＥＭＳ（Home Energy Management System）コントローラ１１と、ＨＥＭＳコントローラ１１から送信された指示信号に応じて、または遠隔操作装置であるリモコン１００から送信された指示信号に応じて動作する複数の電気機器１２と、から構成される。
【００１２】
ＨＥＭＳコントローラ１１は、電気機器１２の外部に設けられた外部コントローラである。ＨＥＭＳコントローラ１１は、操作端末１０１から送信された操作信号（電気機器１２に対する制御を指示する指示信号と制御対象の電気機器１２を特定可能な機器情報とが対応付けられた信号）を受信すると、操作信号に含まれる機器情報で特定された電気機器１２に、操作信号に含まれる指示信号を送信する。電気機器１２は、指示信号に応じて動作する。
【００１３】
電気機器１２は、例えば、空気調和機を構成する室内機と室外機、或いは、テレビ等である。電気機器１２は、前述の通り、ＨＥＭＳコントローラ１１から送信された指示信号に応じて動作する。また、電気機器１２は、リモコン１００から送信された指示信号（電気機器１２に対する制御を指示する信号）に応じて動作する。
【００１４】
リモコン１００は、例えば、電気機器１２のそれぞれに対応した専用のリモートコントローラ（遠隔操作装置）である。リモコン１００は、指示信号の送信エリアが予め定められている。このため、リモコン１００の操作者は、電気機器１２を視認できる位置、例えば、電気機器１２の近辺で、リモコン１００の操作を行う。
【００１５】
操作端末１０１は、例えば、携帯用の電子機器、或いは、パーソナルコンピュータである。操作端末１０１は、ＨＥＭＳコントローラ１１と、例えばWi-Fi(Wireless Fidelity)通信が可能である。また、操作端末１０１は、インターネット１０３とブロードバンドルータ１０２とを介して、ＨＥＭＳコントローラ１１と通信可能である。よって、操作端末１０１は、リモコン１００の送信エリア内に加え、リモコン１００の送信エリア外からも、ＨＥＭＳコントローラ１１に操作信号を送信可能である。操作端末１０１には、ＨＥＭＳコントローラ１１を介して電気機器１２を操作するためのユーザインタフェースがインストールされている。
【００１６】
上述した制御システム１０、リモコン１００、操作端末１０１（ＨＥＭＳコントローラ１１とWi-Fi通信が可能な操作端末）、ブロードバンドルータ１０２は、一般的に、屋内Ｒ（建物周辺も含む）に配置される。インターネット１０３を介した通信が可能である操作端末１０１は、屋内外に配置される。
【００１７】
ＨＥＭＳコントローラ１１は、図２に示すように、ＨＥＭＳコントローラ１１全体を制御する制御部１１１と、無線通信（Wi-Fi通信）を可能にする無線通信インタフェース１１２と、有線通信を可能にする有線通信インタフェース１１３と、を備える。制御部１１１と、無線通信インタフェース１１２と、有線通信インタフェース１１３とは、バスラインＢＬで相互に接続されている。
【００１８】
詳細には、制御部１１１は、ＣＰＵ（Central Processing Unit）と、ＲＯＭ（Read only Memory）と、ＲＡＭ（Random Access Memory）と、を備えている。
【００１９】
ＣＰＵは、ＲＯＭに格納されたプログラム（例えば、後述する図４に示す動作を実現するプログラム）を実行することで、操作端末１０１から送信された操作信号を受信し、受信した操作信号に含まれる指示信号を無線通信インタフェース１１２に送信させる指示信号送信部１１１ａを実現する。
【００２０】
無線通信インタフェース１１２は、電気機器１２に設けられた後述する無線通信インタフェース１２５と無線通信（Wi-Fi通信）を行い、操作端末１０１から送信された指示信号を、無線通信インタフェース１２５に送信する。
【００２１】
有線通信インタフェース１１３は、ブロードバンドルータ１０２と有線通信を行い、インターネット１０３に接続された操作端末１０１からの操作信号を受信する。
【００２２】
電気機器１２は、電気機器１２全体を制御する制御部１２１と、制御部１２１が参照する情報を記憶する記憶部１２２と、制御部１２１が制御する対象である制御対象部１２３と、リモコン１００から送信された指示信号を受信する指示信号受信部１２４と、無線通信を可能にする無線通信インタフェース１２５と、を備える。各部１２１〜１２５は、バスラインＢＬで相互に接続されている。指示信号受信部１２４は、特許請求の範囲に記載された「第１の受信部」に対応する。また、無線通信インタフェース１２５は、特許請求の範囲に記載された「第２の受信部」に対応する。
【００２３】
本実施の形態では、電気機器１２は、指示信号受信部１２４で指示信号を受信した場合、その後に、無線通信インタフェース１２５で指示信号を受信しても（操作端末１０１から送信された指示信号を受信しても）、所定の期間、無線通信インタフェース１２５で受信した指示信号を破棄する。よって、電気機器１２は、リモコン１００でユーザ操作が行われた場合、その後に、操作端末１０１のユーザ操作で電気機器１２の操作指示が行われても、所定の期間、その操作指示に対応する制御を実行しない。従って、電気機器１２が設置された屋内Ｒの状況（室温等）を把握できない例えば屋外にいるユーザから、操作指示（操作端末１０１からの操作指示）が行われることで、リモコン１００の操作で指示した制御が（屋内Ｒの状況を把握しているユーザの操作指示による制御が）、所定の期間内に変更されることを防止できる。
【００２４】
また、本実施の形態では、電気機器１２は、指示信号受信部１２４で受信した指示信号の内容に応じて、所定の期間を（無線通信インタフェース１２５で受信した指示信号を破棄する期間を）を変える。よって、リモコン１００のユーザ操作が行われると、そのユーザ操作の内容に拘わらず一定期間、操作端末１０１による電気機器１２の操作が受け付けられないシステムと比較して、待機期間を削減することが可能である。
【００２５】
制御部１２１は、ＣＰＵと、ＲＯＭと、ＲＡＭと、を備えている。
【００２６】
制御部１２１のＣＰＵは、ＲＯＭに格納されたプログラム（後述する図４に示す動作と図５に示す処理とを実現するプログラム）を実行することで、制御対象部１２３を制御する対象制御部１２１ａと、無線通信インタフェース１２５で受信した指示信号を破棄する期間（禁止期間）を設定する設定部１２１ｂと、を実現する。また、制御部１２１のＣＰＵは、禁止期間の終了までの残り時間をカウントするためのタイマ１２１ｃを備える。対象制御部１２１ａとタイマ１２３ｃは、特許請求の範囲に記載された「制御禁止部」に対応する。
【００２７】
対象制御部１２１ａは、リモコン１００から送信された指示信号を指示信号受信部１２４を介して受信すると、指示信号の内容に応じて、制御対象部１２３を制御する。また、対象制御部１２１ａは、ＨＥＭＳコントローラ１１から送信された指示信号を無線通信インタフェース１２５を介して受信すると、指示信号の内容に応じて、制御対象部１２３を制御する。
【００２８】
設定部１２１ｂは、指示信号受信部１２４を介して指示信号を受信すると、指示信号の内容と一致する内容を、記憶部１２２に記憶されている禁止テーブル（指示信号の内容と指示信号受信時の諸条件と禁止期間とが対応付けられたテーブル）から検索する。そして、設定部１２１ｂは、検索した指示信号の内容に対応付けられ、且つ、指示信号受信時の諸条件（例えば、室内温度が２８度以上であるか等）を満たす禁止期間を、禁止テーブルから特定する。その後、設定部１２１ｂは、禁止期間に対応するカウント値をタイマ１２１ｃに設定し、タイマ１２１ｃのカウントダウンを開始する。また、設定部１２１ｂは、タイマ１２１ｃのカウントダウン中、後述する破棄フラグ１２２ｂをオンする。破棄フラグ１２２ｂがオンであれば、対象制御部１２１ａは、無線通信インタフェース１２５で指示信号を受信しても、受信した指示信号を破棄する（制御対象部１２３による制御を禁止する）。
【００２９】
なお、設定部１２１ｂは、タイマ１２１ｃのカウントダウンが終了すると、破棄フラグ１２２ｂをオフする。破棄フラグ１２２ｂがオフであれば、対象制御部１２１ａは、無線通信インタフェース１２５で指示信号を受信すると、指示信号の内容に応じて、制御対象部１２３を制御する。
【００３０】
記憶部１２２は、例えばフラッシュメモリから構成される。記憶部１２２は、禁止テーブルを記憶するテーブル記憶部１２２ａと、タイマ１２１ｃのカウントダウン中にオンされ、タイマ１２１ｃのカウントダウンが終了するとオフされる破棄フラグ１２２ｂと、を備える。
【００３１】
テーブル記憶部１２２ｂに記憶されている禁止テーブルは、図３に示すように、指示信号の内容と指示信号受信時の諸条件と禁止期間とが対応付けられている。図３では、電気機器１２が空調機である場合の禁止テーブルを例示している。
【００３２】
前述の通り、設定部１２１ｂは、禁止テーブルに基づいて禁止期間を特定する。設定部１２１ｂは、例えば、指示信号受信部１２４を介して、冷房開始を示す指示信号を受信すると、受信した指示信号の内容を、記憶部１２２に記憶されている禁止テーブルから検索する。図３に示す禁止テーブルの場合、設定部１２１ｂは、禁止期間が６０分と禁止期間が３０分との２つの禁止期間に対応付けられた内容「冷房開始」を、禁止テーブルから検索する。
【００３３】
次に、設定部１２１ｂは、検索した内容に対応付けられている諸条件が室内温度測定値であることから、電気機器１２に備えられている例えば温度センサで測定された室内温度測定値（電気機器１２で計測されるデータ）を取得し、室内温度測定値が２８度を超えているか否かを判定する。室内温度測定値が２８度を超えていれば、設定部１２１ｂは、禁止期間を６０分に特定する。また、室内温度測定値が２８度以下であれば、設定部１２１ｂは、禁止期間を３０分に特定する。
【００３４】
また、設定部１２１ｂは、例えば、指示信号受信部１２４が冷房温度変更を示す指示信号を受信した場合、指示信号で示される温度変更の幅が２度以内であれば、禁止期間を１５分に特定する。
【００３５】
その後、設定部１２１ｂは、特定した禁止期間に対応するカウント値をタイマ１２１ｃに設定し、タイマ１２１ｃのカウントダウンを開始する。
【００３６】
制御対象部１２３は、対象制御部１２１ａが制御する対象である。制御対象部１２３は、電気機器１２が例えば空調機である場合、熱交換器およびインバータ回路等であり、電気機器１２がテレビである場合、チャンネル切り替え回路等である。
【００３７】
上述したＨＥＭＳコントローラ１１、電気機器１２、リモコン１００、操作端末１０１のそれぞれの電源がオンされた場合の動作を説明する。
【００３８】
まず、ＨＥＭＳコントローラ１１は、電気機器１２の状態を表す状態データの送信を命令する送信命令を、電気機器１２に送信する（Ｔ１ａ時）。すると、電気機器１２は、状態データをＨＥＭＳコントローラ１１に送信する（Ｔ２ａ時）。
【００３９】
状態データは、例えば、冷房設定温度、動作状態、受け付けた指示信号の内容、指示信号の送信元等を表すデータである。操作端末１０１で電気機器１２の操作を行う場合、ユーザは、一般的に、電気機器１２の最新の状態を操作端末１０１に表示する。この表示を実現するために、操作端末１０１から要求があった場合、ＨＥＭＳコントローラ１１は、取得した状態データを操作端末１０１に送信する。この送信のために、ＨＥＭＳコントローラ１１は、状態データを定期的に取得する。
【００４０】
状態データは、時間の経過と共に変わり得る。よって、ＨＥＭＳコントローラ１１は、送信命令を、例えば、１分おきに、電気機器１２に送信する。
【００４１】
操作端末１０１でユーザ操作が行われて、操作端末１０１から操作信号が送信され（Ｔ３ａ時）、その操作信号がＨＥＭＳコントローラ１１で受信されると、ＨＥＭＳコントローラ１１（指示信号送信部１１１ａ）は、受信した操作信号に含まれる指示信号を、操作信号で指示された電気機器１２に送信する（Ｔ４ａ時）。
【００４２】
電気機器１２（対象制御部１２１ａ）は、指示信号を受信すると（Ｔ５ａ時）、指示信号を受け付けたことを示す受付信号を、ＨＥＭＳコントローラ１１に送信する（Ｔ６ａ時）。そして、電気機器１２（対象制御部１２１ａ）は、受信した指示信号の内容に応じて、制御対象部１２３を制御する（Ｔ７ａ時）。
【００４３】
その後、リモコン１００でユーザ操作が行われ、リモコン１００から指示信号が送信されて（Ｔ８ａ時）、その指示信号が電気機器１２で受信されると（Ｔ９ａ時）、電気機器１２は、禁止期間の設定と禁止期間のカウントダウンを開始するため、図５に示す禁止期間カウント処理を開始する（Ｔ１０ａ時）。
【００４４】
禁止期間カウント処理では、電気機器１２（設定部１２１ｂ）は、受信した指示信号の内容と一致する内容を、禁止テーブルから検索する（ステップＳ１１）。電気機器１２（設定部１２１ｂ）は、例えば、禁止テーブルが図３に示すものであり、冷房開始を示す指示信号を受信した場合、禁止期間が６０分と禁止期間が３０分との２つの禁止期間に対応付けられた内容「冷房開始」を検索する。
【００４５】
次に、電気機器１２（設定部１２１ｂ）は、検索した内容に対応付けられ、且つ、指示信号受信時の諸条件を満たす禁止期間を、禁止テーブルから特定する（ステップＳ１２）。電気機器１２（設定部１２１ｂ）は、例えば、電気機器１２に備えられている温度センサで測定された室内温度測定値が２８度を超えていれば、禁止期間を６０分に特定する。一方、電気機器１２（設定部１２１ｂ）は、例えば、測定された室内温度測定値が２８度以下であれば、禁止期間を３０分に特定する。
【００４６】
その後、電気機器１２（設定部１２１ｂ）は、特定した禁止期間に対応するカウント値をタイマ１２１ｃに設定し（ステップＳ１３）、タイマ１２１ｃのカウントダウンを開始する（ステップＳ１４）。そして、電気機器１２（設定部１２１ｂ）は、破棄フラグ１２２ｂをオンする（ステップＳ１５）。破棄フラグ１２２ｂがオンであれば、電気機器１２（対象制御部１２１ａ）は、無線通信インタフェース１２５で指示信号を受信しても、受信した指示信号を破棄する（制御対象部１２３による制御を禁止する）。
【００４７】
その後、電気機器１２（設定部１２１ｂ）は、タイマ１２１ｃのカウント値がゼロであるか否かを判定する（ステップＳ１６）。禁止期間が経過すると、電気機器１２（設定部１２１ｂ）は、ステップＳ１６でＹｅｓと判定し、破棄フラグ１２２ｂをオフして（ステップＳ１７）、この処理を終了する。
【００４８】
一方、禁止期間が経過していなければ、電気機器１２（設定部１２１ｂ）は、ステップＳ１６でＮｏと判定し、新たな指示信号を受信していないか判定する（ステップＳ１８）。
【００４９】
リモコン１００で新たなユーザ操作が行われて、リモコン１００から新たな指示信号が送信された場合、電気機器１２（設定部１２１ｂ）は、ステップＳ１８でＹｅｓと判定する。そして、電気機器１２（設定部１２１ｂ）は、タイマ１２１ｃのカウント値をリセットして（ステップＳ１９）、ステップＳ１１に戻る。このように、リモコン１００から送信された新たな指示信号を受信すると、電気機器１２（設定部１２１ｂ）は、タイマ１２１ｃのカウントダウンによる禁止期間の計時をリセットする。
【００５０】
一方、リモコン１００から新たな指示信号が送信されていない場合、電気機器１２（設定部１２１ｂ）は、ステップＳ１８でＮｏと判定して、ステップＳ１６に戻る。
【００５１】
上述したステップＳ１５の実行後、この禁止期間カウント処理と並列で実行される制御処理で、電気機器１２（対象制御部１２１ａ）は、図４のＴ１１ａ時に示すように、受信した指示信号の内容に応じて、制御対象部１２３を制御する。
【００５２】
その後、操作端末１０１でユーザ操作が行われて、操作端末１０１から操作信号が送信され（Ｔ１２ａ時）、その操作信号がＨＥＭＳコントローラ１１で受信されると、ＨＥＭＳコントローラ１１（指示信号送信部１１１ａ）は、受信した操作信号に含まれる指示信号を電気機器１２に送信する（Ｔ１３ａ時）。
【００５３】
電気機器１２（対象制御部１２１ａ）は、指示信号を受信すると、破棄フラグ１２２ｂがオンであるかオフであるかを特定する。禁止期間中、破棄フラグ１２２ｂはオンである。よって、電気機器１２（対象制御部１２１ａ）は、破棄フラグ１２２ｂがオンであることから、受信した指示信号を破棄する（制御対象部１２３による制御を禁止する，Ｔ１４ａ時）。そして、電気機器１２（対象制御部１２１ａ）は、指示信号を破棄したことを示す破棄信号をＨＥＭＳコントローラ１１に送信する（Ｔ１５ａ時）。
【００５４】
ＨＥＭＳコントローラ１１は、破棄信号を受信すると、操作信号が受け付けられなかったことを表す操作不可通知を操作端末１０１に送信する（Ｔ１６ａ時）。
【００５５】
なお、ＨＥＭＳコントローラ１１から定期的に送信される送信命令（状態データの送信命令）は、電気機器１２に対して制御対象部１２３の制御を指示するものではない。よって、禁止期間中であっても、電気機器１２は、送信命令を受信すると（Ｔ１７ａ時）、状態データをＨＥＭＳコントローラ１１に送信する（Ｔ１８ａ時）。
【００５６】
なお、禁止期間が終了すると、電気機器１２（対象制御部１２１ａ）は、前述の通り、破棄フラグ１２２ｂをオフにする。よって、電気機器１２（対象制御部１２１ａ）は、禁止期間終了後は、無線通信インタフェース１２５で指示信号を受信すると、指示信号の内容に応じて、制御対象部１２３を制御する。
【００５７】
上述した通り、本実施の形態の制御システム１０によれば、電気機器１２は、指示信号受信部１２４で指示信号を受信した場合、その後に、無線通信インタフェース１２５で指示信号を受信しても、禁止期間中、受信した指示信号を破棄する。よって、電気機器１２は、リモコン１００でユーザ操作が行われた場合、その後に、操作端末１０１のユーザ操作で電気機器１２の操作指示が行われても、禁止期間中、その操作指示に対応する制御を実行しない。従って、電気機器１２が設置された屋内Ｒの状況（室温等）を把握できない例えば屋外にいるユーザから、操作指示（操作端末１０１からの操作指示）が行われて、リモコン１００の操作で指示した制御が（屋内Ｒの状況を把握しているユーザの操作指示による制御が）、禁止期間中に変更され、例えば、屋内Ｒの状況に合わない制御が、或いは、リモコン１００を操作したユーザが予期しない制御が行われることを、防止できる。
【００５８】
また、本実施の形態の制御システム１０によれば、電気機器１２は、リモコン１００から送信された指示信号の内容に応じて禁止期間を変える。よって、本実施の形態の制御システム１０によれば、リモコン１００のユーザ操作が行われると、そのユーザ操作の内容に拘わらず一定期間、操作端末１０１のユーザ操作による電気機器１２の制御が行えないシステムと比較して、待機期間を削減することが可能である。
【００５９】
（実施の形態２）
前述の通り、実施の形態１の制御システム１０では、電気機器１２が、禁止期間を設定して、ＨＥＭＳコントローラ１１から送信された指示信号を破棄した。これに対し、図６に示す、実施の形態２の制御システム２０では、ＨＥＭＳコントローラ１３が、禁止期間を設定して、操作端末１０１から送信された操作信号を破棄する。よって、実施の形態２の電気機器１４は、リモコン１００でユーザ操作が行われた場合、その後に、操作端末１０１のユーザ操作で電気機器１４の操作指示が行われても、禁止期間中、その操作指示に対応する制御を実行しない。
【００６０】
以下、実施の形態２の制御システム２０を、図６，７を参照して説明する。なお、実施の形態１の制御システム１０と同一の構成には、同一の符号を付している。
【００６１】
図６に示す制御システム２０は、操作端末１０１から送信された操作信号に含まれる指示信号を電気機器１４に送信するＨＥＭＳコントローラ１３と、ＨＥＭＳコントローラ１３から送信された指示信号に応じて、またはリモコン１００から送信された指示信号に応じて動作する電気機器１４と、から構成される。
【００６２】
電気機器１４は、電気機器１４全体を制御する制御部１２１と、制御部１２１が制御する対象である制御対象部１２３と、リモコン１００から送信された指示信号を受信する指示信号受信部１２４と、無線通信を可能にする無線通信インタフェース１２５と、を備える。即ち、電気機器１４は、実施の形態１の電気機器１２から、記憶部１２２を除いたものである。各部１２１，１２３〜１２５は、バスラインＢＬで相互に接続されている。
【００６３】
制御部１２１のＣＰＵは、ＲＯＭに格納されたプログラム（例えば、後述する図７に示す動作を実現するプログラム）を実行することで、実施の形態１の制御部１２１と同様に、制御対象部１２３を制御する対象制御部１２１ａを実現する。なお、制御部１２１のＣＰＵは、実施の形態１の制御部１２１と異なり、設定部１２１ｂを実現せず、また、タイマ１２１ｃを備えない。
【００６４】
対象制御部１２１ａは、リモコン１００からの指示信号を受信すると、受付信号を、ＨＥＭＳコントローラ１３に送信する。受付信号は、リモコン１００からの指示信号を受信したことを示す信号と、リモコン１００からの指示信号と、を含む。
【００６５】
ＨＥＭＳコントローラ１３は、実施の形態１のＨＥＭＳコントローラ１１と同様に、ＨＥＭＳコントローラ１３全体を制御する制御部１１１と、無線通信を可能にする無線通信インタフェース１１２と、有線通信を可能にする有線通信インタフェース１１３と、を備える。更に、ＨＥＭＳコントローラ１３は、記憶部１１４を備える。制御部１１１と、無線通信インタフェース１１２と、有線通信インタフェース１１３と、記憶部１１４とは、バスラインＢＬで相互に接続されている。
【００６６】
制御部１１１のＣＰＵは、ＲＯＭに格納されたプログラム（例えば、後述する図７に示す動作を実現するプログラム）を実行することで、実施の形態１の制御部１１１と同様に、操作端末１０１から送信された操作信号を受信し、受信した操作信号に含まれる指示信号を無線通信インタフェース１１２に送信させる指示信号送信部１１１ａを実現する。
【００６７】
更に、制御部１１１のＣＰＵは、ＲＯＭに格納されたプログラムを実行することで、受信した操作信号を破棄する期間（禁止期間）を設定する設定部１１１ｂを実現する。また、制御部１１１のＣＰＵは、禁止期間の終了までの残り時間をカウントするためのタイマ１１１ｃを備える。指示信号送信部１１１ａとタイマ１１１ｃは、特許請求の範囲に記載された「送信禁止部」に対応する。
【００６８】
設定部１１１ｂは、電気機器１４から送信された受付信号を、無線通信インタフェース１１２を介して受信すると、次の動作を行う。即ち、設定部１１１ｂは、受付信号に含まれる指示信号の内容と一致する内容を、記憶部１１４に記憶されている禁止テーブル（指示信号の内容と指示信号受信時の諸条件と禁止期間とが対応付けられたテーブル）から検索する。
【００６９】
そして、設定部１１１ｂは、検索した内容に対応付けられ、且つ、指示信号受信時の諸条件（例えば、室内温度が２８度以上であるか等）を満たす禁止期間を、禁止テーブルから特定する。
【００７０】
その後、設定部１１１ｂは、禁止期間に対応するカウント値をタイマ１１１ｃに設定し、タイマ１１１ｃのカウントダウンを開始する。また、設定部１１１ｂは、タイマ１１１ｃのカウントダウン中、後述する破棄フラグ１１４ｂをオンする。破棄フラグ１１４ｂがオンであれば、指示信号送信部１１１ａは、無線通信インタフェース１１２で操作信号を受信しても、その受信した操作信号を破棄する（指示信号の電気機器１４への送信を禁止する）。
【００７１】
なお、設定部１１１ｂは、タイマ１１１ｃのカウントダウンが終了すると、破棄フラグ１１４ｂをオフする。破棄フラグ１１４ｂがオフであれば、指示信号送信部１１１ａは、操作端末１０１から送信された操作信号を受信すると、操作信号に含まれる指示信号を電気機器１４に送信する。
【００７２】
記憶部１１４は、例えばフラッシュメモリから構成される。記憶部１１４は、禁止テーブルを記憶するテーブル記憶部１１４ａと、タイマ１１１ｃのカウントダウン中にオンされ、タイマ１１１ｃのカウントダウンが終了するとオフされる破棄フラグ１１４ｂと、を備える。
【００７３】
テーブル記憶部１１４ｂに記憶されている禁止テーブルは、実施の形態１の禁止テーブルと同様、図３に示すように、指示信号の内容と指示信号受信時の諸条件と禁止期間とが対応付けられている。図３では、電気機器１２が空調機である場合の禁止テーブルを例示している。
【００７４】
前述の通り、設定部１１１ｂは、禁止テーブルを用いて禁止期間を特定する。設定部１１１ｂは、例えば、電気機器１４から送信された受付信号に、冷房開始を示す指示信号が含まれていれば、冷房開始を示す内容を、テーブル記憶部１１４ｂに記憶されている禁止テーブルから検索する。図３に示す禁止テーブルの場合、設定部１１１ｂは、禁止期間が６０分と禁止期間が３０分との２つの禁止期間に対応付けられた内容「冷房開始」を検索する。
【００７５】
次に、設定部１１１ｂは、検索した内容に対応付けられている諸条件が室内温度測定値であることから、取得済みの状態データで示される室内温度測定値が２８度を超えているか否かを判定する。室内温度測定値が２８度を超えていれば、設定部１２１ｂは、禁止期間を６０分に特定する。また、室内温度測定値が２８度以下であれば、設定部１２１ｂは、禁止期間を３０分に特定する。
【００７６】
また、設定部１１１ｂは、例えば、電気機器１４から送信された受付信号に、冷房温度変更を示す指示信号が含まれており、指示信号で示される温度変更の幅が２度以内であれば、禁止期間を１５分に特定する。
【００７７】
その後、設定部１１１ｂは、特定した禁止期間に対応するカウント値をタイマ１１１ｃに設定し、タイマ１１１ｃのカウントダウンを開始する。
【００７８】
上述したＨＥＭＳコントローラ１３、電気機器１４、リモコン１００、操作端末１０１のそれぞれの電源がオンされた場合の動作を、図７を参照して説明する。なお、Ｔ１ｂ時〜Ｔ７ｂ時までは、実施の形態１の制御システム１０のＴ１ａ時〜Ｔ７ａ時までの動作（図４で説明した動作）と同じである。よって、Ｔ１ｂ時〜Ｔ７ｂ時における動作の説明を省略する。
【００７９】
Ｔ７ｂ時後、リモコン１００でユーザ操作が行われて、リモコン１００から指示信号が送信され（Ｔ８ｂ時）、その指示信号が電気機器１４で受信されると（Ｔ９ｂ時）、電気機器１４は、無線通信インタフェース１２５を介して、ＨＥＭＳコントローラ１３に、受信した指示信号を含む受付信号を送信する（Ｔ１０ｂ時）。そして、電気機器１４（対象制御部１２１ａ）は、受信した指示信号の内容に応じて、制御対象部１２３を制御する（Ｔ１１ｂ時）。
【００８０】
一方、ＨＥＭＳコントローラ１３は、受付信号を受信すると、禁止期間の設定と禁止期間のカウントダウンを開始するため、禁止期間カウント処理を開始する（Ｔ１２ｂ時）。
【００８１】
なお、ＨＥＭＳコントローラ１３（設定部１１１ｂ）で実行される禁止期間カウント処理は、実施の形態１の電気機器１２（設定部１２１ｂ）で実行される禁止期間カウント処理（図５の処理）とほぼ同一の処理である。
【００８２】
具体的には、ＨＥＭＳコントローラ１３（設定部１１１ｂ）で実行される禁止期間カウント処理は、実施の形態１の電気機器１２（設定部１２１ｂ）で実行される禁止期間カウント処理のステップＳ１８の内容が、「新たな受付信号を受信？」に変更されている以外は、禁止期間カウント処理（図５の処理）と同一の処理である。よって、詳細な説明は省略する。
【００８３】
ＨＥＭＳコントローラ１３で禁止期間カウント処理が開始されることで、禁止期間の設定と禁止期間のカウントダウンとが開始される（Ｔ１２ｂ時）。
【００８４】
その後、操作端末１０１でユーザ操作が行われて、操作端末１０１から操作信号が送信され、その操作信号がＨＥＭＳコントローラ１３で受信されると（Ｔ１３ｂ時）、ＨＥＭＳコントローラ１３（指示信号送信部１１１ａ）は、破棄フラグ１１４ｂがオンであるかオフであるかを特定する。禁止期間中、破棄フラグ１１４ｂはオンである。よって、ＨＥＭＳコントローラ１３（指示信号送信部１１１ａ）は、破棄フラグ１１４ｂがオンであることから、受信した操作信号を破棄する（指示信号を電気機器１４に送信しない，Ｔ１４ｂ時）。そして、ＨＥＭＳコントローラ１３（指示信号送信部１１１ａ）は、操作信号が受け付けられなかったことを表す操作不可通知を操作端末１０１に送信する（Ｔ１５ｂ時）。
【００８５】
ＨＥＭＳコントローラ１３は、禁止期間中であっても、状態データの送信命令を定期的に電気機器１３に送信する（Ｔ１６ｂ時）。よって、電気機器１４は、送信命令を受信すると、ＨＥＭＳコントローラ１３に状態データを送信する（Ｔ１７ｂ時）。
【００８６】
なお、禁止期間が終了すると、ＨＥＭＳコントローラ１３（設定部１１１ｂ）は、破棄フラグ１１４ｂをオフにする。よって、ＨＥＭＳコントローラ１３（設定部１１１ｂ）は、禁止期間終了後に、無線通信インタフェース１１２で操作信号を受信すると、操作信号に含まれる指示信号を電気機器１４に送信する。
【００８７】
上述した通り、本実施の形態の制御システム２０によれば、ＨＥＭＳコントローラ１３は、電気機器１４から送信された受付信号を受信した場合、その後に、操作端末１０１からの操作信号を受信しても、禁止期間中、受信した操作信号を破棄する（操作信号の電気機器１４への送信を禁止する）。よって、電気機器１４は、リモコン１００でユーザ操作が行われた場合、その後に、操作端末１０１のユーザ操作で電気機器１４の操作指示が行われても、禁止期間中、その操作指示に対応する制御を実行しない。従って、電気機器１４が設置された屋内Ｒの状況（室温等）を把握できない例えば屋外にいるユーザから、操作指示（操作端末１０１からの操作指示）が行われて、リモコン１００の操作で指示した制御が（屋内Ｒの状況を把握しているユーザの操作指示による制御が）、禁止期間中に変更され、例えば、屋内Ｒの状況に合わない制御が、或いは、リモコン１００を操作したユーザが予期しない制御が行われることを、防止できる。
【００８８】
また、本実施の形態の制御システム２０によれば、ＨＥＭＳコントローラ１３は、電気機器１４から送信された受付信号に含まれる指示信号の内容に応じて禁止期間を変える。よって、本実施の形態の制御システム２０によれば、リモコン１００のユーザ操作が行われると、そのユーザ操作の内容に拘わらず一定期間、操作端末１０１のユーザ操作による電気機器１４の制御が行えないシステムと比較して、待機期間を削減することが可能である。
【００８９】
（実施の形態３）
前述の通り、実施の形態２の制御システム２０では、ＨＥＭＳコントローラ１３は、電気機器１４から送信された受付信号を受信すると、その受付信号に含まれる指示信号の内容に応じて、禁止期間を決定した。これに対し、図８に示す、実施の形態３の制御システム３０では、ＨＥＭＳコントローラ１３は、電気機器１４から定期的に取得した状態データで示される最新の制御状態に変化があれば、その変化の要因となった制御を指示した指示信号の内容を特定し、特定した指示信号の内容から、禁止期間を決定する。
【００９０】
以下、実施の形態３の制御システム３０を、図８を参照して説明する。なお、実施の形態２の制御システム２０と同一の構成には、同一の符号を付している。
【００９１】
図８に示す制御システム３０は、実施の形態２の制御システム２０と、全て同一の構成である。即ち、実施の形態３の制御システム３０は、操作端末１０１から送信された操作信号に含まれる指示信号を電気機器１４に送信するＨＥＭＳコントローラ１３と、ＨＥＭＳコントローラ１３から送信された指示信号に応じて、またはリモコン１００から送信された指示信号に応じて動作する電気機器１４と、から構成される。
【００９２】
実施の形態３の制御システム３０における設定部１１１ｂは、電気機器１４から送信された状態データ（例えば、冷房設定温度、動作状態、受け付けた指示信号の内容、指示信号の送信元等を表すデータ）を受信すると、例えばＲＡＭに記憶する。そして、設定部１１１ｂは、最新の状態データ（今回受信した状態データ）と、一つ前のタイミングで受信した状態データとを、ＲＡＭから読み出し、状態データで示される最新の制御状態に変化があるか否かを判定する。
【００９３】
変化の内容は、例えば、冷房開始、或いは、冷房温度変更等である。設定部１１１ｂは、状態データで示される最新の制御状態に変化があると判定すると、その変化が発生する直前に受信された指示信号が（変化の要因となった制御を指示した指示信号が）、リモコン１００から送信された信号であるかを、状態データから判定する。
【００９４】
設定部１１１ｂは、変化の要因となった制御を指示した指示信号がリモコン１００から送信された信号であると判定すると、その指示信号の内容と一致する内容を、記憶部１１４に記憶されている禁止テーブル（指示信号の内容と指示信号受信時の諸条件と禁止期間とが対応付けられたテーブル）から検索する。そして、設定部１１１ｂは、検索した指示信号の内容に対応付けられ、且つ、指示信号受信時の諸条件（例えば、室内温度が２８度以上であるか等）を満たす禁止期間を、禁止テーブルから特定する。その後、設定部１１１ｂは、禁止期間に対応するカウント値をタイマ１１１ｃに設定し、タイマ１１１ｃのカウントダウンを開始する。また、設定部１１１ｂは、タイマ１１１ｃのカウントダウン中、破棄フラグ１１４ｂをオンする。破棄フラグ１１４ｂがオンであれば、指示信号送信部１１１ａは、操作端末１０１から送信された操作信号を受信しても、その受信した操作信号を破棄する（操作信号に含まれる指示信号の電気機器１４への送信を禁止する）。
【００９５】
なお、設定部１１１ｂは、タイマ１１１ｃのカウントダウンが終了すると、破棄フラグ１１４ｂをオフする。破棄フラグ１１４ｂがオフであれば、指示信号送信部１１１ａは、操作端末１０１から送信された操作信号を受信すると、操作信号に含まれる指示信号を電気機器１４に送信する。
【００９６】
上述したＨＥＭＳコントローラ１３、電気機器１４、リモコン１００、操作端末１０１のそれぞれの電源がオンされた場合の動作を、図８を参照して説明する。なお、Ｔ１ｃ時〜Ｔ７ｃ時までは、実施の形態２の制御システム２０のＴ１ｂ時〜Ｔ７ｂ時までの動作（図７で説明した動作）と同じである。よって、Ｔ１ｃ時〜Ｔ７ｃ時の動作の説明を省略する。
【００９７】
Ｔ７ｃ時後、リモコン１００でユーザ操作が行われて、リモコン１００から指示信号が送信され（Ｔ８ｃ時）、その指示信号が電気機器１４で受信されると（Ｔ９ｃ時）、電気機器１２（対象制御部１２１ａ）は、受信した指示信号の内容に応じて、制御対象部１２３を制御する（Ｔ１０ｃ時）。
【００９８】
その後、ＨＥＭＳコントローラ１３は、状態データの送信命令を電気機器１４に送信する（Ｔ１１ｃ時）。電気機器１４は、送信命令を受信すると、状態データをＨＥＭＳコントローラ１３に送信する（Ｔ１２ｃ時）。
【００９９】
ＨＥＭＳコントローラ１３は、状態データを受信すると、例えばＲＡＭに記憶する。そして、ＨＥＭＳコントローラ１３（設定部１１１ｂ）は、最新の状態データ（今回受信した状態データ）と、一つ前のタイミングで受信した状態データとを、ＲＡＭから読み出し、状態データで示される最新の制御状態に変化があるか否かを判定する（Ｔ１３ｃ時）。ＨＥＭＳコントローラ１３（設定部１１１ｂ）は、状態データで示される最新の制御状態に変化があると判定すると、その変化が発生する直前に受信された指示信号が（変化の要因となった制御を指示した指示信号が）、リモコン１００から送信された信号であるかを、状態データから判定する（Ｔ１３ｃ時）。
【０１００】
なお、ＨＥＭＳコントローラ１３（設定部１１１ｂ）は、状態データを取得する度に、上述したＴ１３ｃ時における処理を実行する。
【０１０１】
Ｔ１３ｃ時の処理において、ＨＥＭＳコントローラ１３（設定部１１１ｂ）は、変化の要因となった制御を指示した指示信号がリモコン１００から送信された信号であると判定すると、禁止期間の設定と禁止期間のカウントダウンを開始するため、禁止期間カウント処理を開始する（Ｔ１４ｃ時）。
【０１０２】
なお、ＨＥＭＳコントローラ１３（設定部１１１ｂ）で実行される禁止期間カウント処理は、実施の形態１の電気機器１２（設定部１２１ｂ）で実行される禁止期間カウント処理（図５の処理）とほぼ同一の処理である。
【０１０３】
具体的には、ＨＥＭＳコントローラ１３（設定部１１１ｂ）で実行される禁止期間カウント処理は、次の内容が、実施の形態１の電気機器１２（設定部１２１ｂ）で実行される禁止期間カウント処理と異なる。即ち、設定部１１１ｂで実行される禁止期間カウント処理は、実施の形態１の禁止期間カウント処理（図５の処理）のステップＳ１１の内容が、「変化の要因となった制御を指示した指示信号の内容と一致する内容を禁止テーブルから検索」に変更され、ステップＳ１８の内容が、「リモコン１００から送信された指示信号によって、最新の制御状態に変化あり？」に変更されている。それ以外は、設定部１１１ｂで実行される禁止期間カウント処理は、実施の形態１の禁止期間カウント処理と同一の処理である。よって、詳細な説明は省略する。
【０１０４】
ＨＥＭＳコントローラ１３（設定部１１１ｂ）で禁止期間カウント処理が実行されることで、禁止期間の設定と禁止期間のカウントダウンとが開始される（Ｔ１４ｃ時）。
【０１０５】
その後、操作端末１０１でユーザ操作が行われて、操作端末１０１から操作信号が送信されると（Ｔ１５ｃ時）、ＨＥＭＳコントローラ１３（指示信号送信部１１１ａ）は、破棄フラグ１１４ｂがオンであるかオフであるかを特定する。禁止期間中、破棄フラグ１１４ｂはオンである。よって、ＨＥＭＳコントローラ１３（指示信号送信部１１１ａ）は、破棄フラグ１１４ｂがオンであることから、受信した操作信号を破棄する（指示信号を電気機器１４に送信しない，Ｔ１６ｃ時）。そして、ＨＥＭＳコントローラ１３（指示信号送信部１１１ａ）は、操作信号が受け付けられなかったことを表す操作不可通知を操作端末１０１に送信する（Ｔ１７ｃ時）。
【０１０６】
なお、禁止期間が終了すると、ＨＥＭＳコントローラ１３（設定部１１１ｂ）は、破棄フラグ１１４ｂをオフにする。よって、ＨＥＭＳコントローラ１３（設定部１１１ｂ）は、禁止期間終了後に、操作端末１０１から送信された操作信号を受信すると、操作信号に含まれる指示信号を電気機器１４に送信する。
【０１０７】
上述した通り、本実施の形態の制御システム３０によれば、ＨＥＭＳコントローラ１３は、電気機器１４から送信された指示信号を受信した場合、その後に、操作端末１０１から送信された指示信号を受信しても、禁止期間中、受信した操作信号を破棄する。よって、電気機器１４は、リモコン１００でユーザ操作が行われた場合、その後に、操作端末１０１でユーザ操作が行われても、禁止期間中、操作端末１０１のユーザ操作に対応する制御を実行しない。従って、電気機器１４が設置された屋内Ｒの状況（室温等）を把握できない例えば屋外にいるユーザから、操作指示（操作端末１０１からの操作指示）が行われて、リモコン１００の操作で指示した制御が（屋内Ｒの状況を把握しているユーザの操作指示による制御が）、禁止期間中に変更され、例えば、屋内Ｒの状況に合わない制御が、或いは、リモコン１００を操作したユーザが予期しない制御が行われることを、防止できる。
【０１０８】
また、本実施の形態の制御システム３０によれば、ＨＥＭＳコントローラ１３は、変化の要因となった制御を指示した指示信号（リモコン１００からの指示信号）の内容に応じて禁止期間を変える。よって、本実施の形態の制御システム３０によれば、リモコン１００のユーザ操作が行われると、そのユーザ操作の内容に拘わらず一定期間、操作端末１０１のユーザ操作による電気機器１４の制御が行えないシステムと比較して、待機期間を削減することが可能である。
【０１０９】
また、本実施の形態の制御システム３０によれば、ＨＥＭＳコントローラ１３は、定期的に受信する状態データから、変化の要因となった制御を指示した指示信号（リモコン１００からの指示信号）の内容を特定する。そして、ＨＥＭＳコントローラ１３は、特定した指示信号の内容に応じて禁止期間を変える。よって、電気機器１４は、状態データを送信する構成以外に特殊な構成を必要としない。従って、本実施の形態の制御システム３０によれば、状態データを送信する構成以外に特殊な構成を備える電気機器を必要とするシステムと比較して、汎用性が高い。
【０１１０】
（実施の形態４）
前述の通り、実施の形態１の制御システム１０では、電気機器１２は、禁止期間中、ＨＥＭＳコントローラ１１から送信された指示信号を破棄した。これに対し、図９，１０に示す、実施の形態４の制御システム４０では、実施の形態４の電気機器１５は、次の場合に、ＨＥＭＳコントローラ１１から送信された指示信号を破棄する。
【０１１１】
即ち、実施の形態４の制御システム４０では、電気機器１５は、禁止期間中、ＨＥＭＳコントローラ１１から送信された指示信号を受信すると、指示信号の内容を特定して、指示信号の内容を表す内容信号をＨＥＭＳコントローラ１１に送信する。すると、ＨＥＭＳコントローラ１１は、受信した内容信号を、ＨＥＭＳコントローラ１１の最も近くに存在する操作端末１０１に（最大の信号強度を示す操作端末１０１に）送信する。
【０１１２】
電気機器１５は、ＨＥＭＳコントローラ１１を介して、内容信号を送信した操作端末１０１から、内容信号で表される内容の制御を許可する旨を示す許可信号を設定期間内に受信しなかった場合に、ＨＥＭＳコントローラ１１から送信された指示信号を破棄する。
【０１１３】
なお、電気機器１５は、ＨＥＭＳコントローラ１１を介して、内容信号を送信した操作端末１０１から、設定期間内に許可信号を受信した場合、ＨＥＭＳコントローラ１１から送信された指示信号に基づき、制御対象部１２３を制御する。
【０１１４】
このように、実施の形態４の制御システム４０では、電気機器１５は、禁止期間中であっても、ＨＥＭＳコントローラ１１の最も近くに存在する操作端末１０１から（最大の信号強度を示す操作端末１０１から）、設定期間内に許可信号を受信した場合、制御対象部１２３を制御する。これは、ＨＥＭＳコントローラ１１の最も近くに存在する操作端末１０１を操作するユーザは、一般的に、電気機器１５が設置された屋内Ｒの状況（室温等）を把握できた場合に許可信号を送信し、把握できない場合に許可信号を送信しないと想定されるためである。
【０１１５】
以下、実施の形態４の制御システム４０を、図９，１０を参照して説明する。なお、実施の形態１の制御システム１０と同一の構成には、同一の符号を付している。
【０１１６】
図９に示す制御システム４０は、操作端末１０１から送信された操作信号に含まれる指示信号を電気機器１５に送信するＨＥＭＳコントローラ１１と、ＨＥＭＳコントローラ１１から送信された指示信号に応じて、またはリモコン１００から送信された指示信号に応じて動作する電気機器１５と、から構成される。
【０１１７】
ＨＥＭＳコントローラ１１は、実施の形態１の制御システム１０で用いられたものと同一の構成である。
【０１１８】
電気機器１５は、実施の形態１の電気機器１２と同様に、電気機器１５全体を制御する制御部１２１と、制御部１２１が参照する情報を記憶する記憶部１２２と、制御部１２１が制御する対象である制御対象部１２３と、リモコン１００から送信された指示信号を受信する指示信号受信部１２４と、無線通信を可能にする無線通信インタフェース１２５と、を備える。各部１２１〜１２５は、バスラインＢＬで相互に接続されている。
【０１１９】
制御部１２１のＣＰＵは、ＲＯＭに格納されたプログラム（例えば、後述する図１０に示す動作を実現するプログラム）を実行することで、実施の形態１の制御部１２１と同様に、制御対象部１２３を制御する対象制御部１２１ａと、受信した指示信号を破棄する期間（禁止期間）を設定する設定部１２１ｂと、を実現する。また、制御部１２１のＣＰＵは、禁止期間の終了までの残り時間をカウントするためのタイマ１２１ｃを備える。
【０１２０】
更に、制御部１２１のＣＰＵは、ＲＯＭに格納されたプログラムを実行することで、禁止期間中、ＨＥＭＳコントローラ１１から送信された指示信号を例外的に受け付ける、または指示信号の破棄を行う許可部１２１ｄを実現する。
【０１２１】
許可部１２１ｄは、禁止期間中に、ＨＥＭＳコントローラ１１から指示信号を受信すると、指示信号の内容を特定する。そして、許可部１２１ｄは、指示信号の内容を表す内容信号を、ＨＥＭＳコントローラ１１に送信する。内容信号を受信したＨＥＭＳコントローラ１１は、無線通信において（無線通信インタフェース１１２を介したWi-Fi通信において）、最大の信号強度を示す操作端末１０１に（最も近くに位置する操作端末１０１に）、内容信号を送信する。
【０１２２】
内容信号を受信した操作端末１０１は、内容信号の内容をディスプレイに表示して、内容信号の内容で示される制御を許可するか否かの選択をユーザに促す。内容信号の内容で示される制御を許可する旨の操作が行われると、操作端末１０１は、許可信号をＨＥＭＳコントローラ１１に送信する。なお、内容信号の内容で示される制御を許可しない旨の操作が行われた場合、操作端末１０１は、ＨＥＭＳコントローラ１１に許可信号を送信しない。
【０１２３】
許可部１２１ｄは、内容信号の送信後、予め設定された設定期間内に、許可信号を受信すると、ＨＥＭＳコントローラ１１から送信された指示信号を受け付ける。許可部１２１ｄで指示信号が受け付けられると、対象制御部１２１ａは、指示信号の内容に応じて、制御対象部１２３を制御する。
【０１２４】
一方、許可部１２１ｄは、設定期間内に許可信号を受信しなかった場合、ＨＥＭＳコントローラ１１から送信された指示信号を破棄する。なお、許可部１２１ｄは、設定期間のカウントをタイマ１２１ｃで行う。
【０１２５】
上述したＨＥＭＳコントローラ１１、電気機器１５、リモコン１００、ＨＥＭＳコントローラ１１から離れた位置にある操作端末１０１、ＨＥＭＳコントローラ１１の最も近くに位置する操作端末１０１のそれぞれの電源がオンされた場合の動作を、図１０を参照して説明する。なお、Ｔ１ｄ時〜Ｔ１１ｄ時までは、実施の形態１の制御システム１０のＴ１ａ時〜Ｔ１１ａ時までの動作（図４で説明した動作）と同じである。よって、Ｔ１ｄ時〜Ｔ１１ｄ時の動作の説明を省略する。
【０１２６】
ＨＥＭＳコントローラ１１は、禁止期間中、ＨＥＭＳコントローラ１１から離れた位置にある操作端末１０１から操作信号を受信すると（Ｔ１２ｄ時）、受信した操作信号に含まれる指示信号を電気機器１５に送信する（Ｔ１３ｄ時）。
【０１２７】
電気機器１５（許可部１２１ｄ）は、指示信号を受信すると、その指示信号の内容を特定する（Ｔ１４ｄ時）。そして、電気機器１５（許可部１２１ｄ）は、指示信号の内容を表す内容信号を、ＨＥＭＳコントローラ１１に送信する（Ｔ１５ｄ時）。
【０１２８】
すると、ＨＥＭＳコントローラ１１は、内容信号を受信し、その内容信号を、無線通信において（無線通信インタフェース１１２を介したWi-Fi通信において）、最大の信号強度を示す操作端末１０１に（最も近くに位置する操作端末１０１に）、送信する（Ｔ１６ｄ時）。
【０１２９】
内容信号を受信した操作端末１０１は、内容信号の内容をディスプレイに表示して、内容信号の内容で示される制御を許可するか否かの選択をユーザに促す。内容信号の内容で示される制御を許可する旨の操作が行われると、操作端末１０１は、許可信号をＨＥＭＳコントローラ１１に送信する（Ｔ１７ｄ時）。なお、内容信号の内容で示される制御を許可しない旨の操作が行われた場合、操作端末１０１は、ＨＥＭＳコントローラ１１に許可信号を送信しない。
【０１３０】
許可信号を受信したＨＥＭＳコントローラ１１は、その許可信号を、電気機器１５に送信する（Ｔ１８ｄ時）。
【０１３１】
電気機器１５（許可部１２１ｄ）は、許可信号を受信すると（Ｔ１８ｄ時）、受信したタイミングが、予め設定された設定期間内であれば、Ｔ１３ｄ時に受信した指示信号を、例外的に受け付ける（Ｔ１９ｄ時）。なお、電気機器１５（許可部１２１ｄ）は、許可信号を受信しても、受信のタイミングが、設定期間外であれば、Ｔ１３ｄ時に受信した指示信号を破棄する。
【０１３２】
電気機器１５（対象制御部１２１ａ）は、Ｔ１３ｄ時に受信した指示信号を受け付けると（Ｔ１９ｄ時）、指示信号を受け付けたことを示す受付信号を、ＨＥＭＳコントローラ１１に送信する（Ｔ２０ｄ時）。また、電気機器１５（対象制御部１２１ａ）は、受信した指示信号の内容に応じて、制御対象部１２３を例外的に制御する（Ｔ２１ｄ時）。
【０１３３】
ＨＥＭＳコントローラ１１は、受付信号を受信すると、その受付信号を、操作信号を送信した操作端末１０１に送信する（Ｔ２２ｄ時）。
【０１３４】
ＨＥＭＳコントローラ１３は、禁止期間中であっても、状態データの送信命令を定期的に電気機器１５に送信する（Ｔ２３ｄ時）。よって、電気機器１５は、禁止期間中であっても、送信命令を受信すると、状態データをＨＥＭＳコントローラ１３に送信する（Ｔ２４ｄ時）。
【０１３５】
上述した通り、本実施の形態の制御システム４０によれば、電気機器１５は、禁止期間中、ＨＥＭＳコントローラ１１から送信された指示信号を受信すると、指示信号の内容を特定して、指示信号の内容を表す内容信号をＨＥＭＳコントローラ１１に送信する。すると、ＨＥＭＳコントローラ１１は、受信した内容信号を、ＨＥＭＳコントローラ１１の最も近くに存在する操作端末１０１に（最大の信号強度を示す操作端末１０１に）送信する。
【０１３６】
電気機器１５は、ＨＥＭＳコントローラ１１を介して、内容信号を送信した操作端末１０１から、内容信号で表される内容の制御を許可する旨を示す許可信号を設定期間内に受信しなかった場合に、ＨＥＭＳコントローラ１１から送信された指示信号を破棄する。
【０１３７】
一方、電気機器１５は、ＨＥＭＳコントローラ１１を介して、内容信号を送信した操作端末１０１から、設定期間内に許可信号を受信した場合、ＨＥＭＳコントローラ１１から送信された指示信号に基づき、制御対象部１２３を制御する。
【０１３８】
つまり、電気機器１５は、ＨＥＭＳコントローラ１１の最も近くに存在し、電気機器１５が設置された付近の状況（例えば屋内Ｒの状況）を把握でき得るユーザが操作する操作端末１０１から、設定期間内に許可信号を受信しない場合、ＨＥＭＳコントローラ１１から送信された指示信号を破棄する。従って、電気機器１５が設置された屋内Ｒの状況（室温等）を把握できない例えば屋外にいるユーザから、操作指示（操作端末１０１からの操作指示）が行われて、リモコン１００の操作で指示した制御が（屋内Ｒの状況を把握しているユーザの操作指示による制御が）、禁止期間中に変更され、例えば、屋内Ｒの状況に合わない制御が、或いは、リモコン１００を操作したユーザが予期しない制御が行われることを、防止できる。
【０１３９】
また、本実施の形態の制御システム４０によれば、電気機器１５は、リモコン１００から送信された指示信号の内容に応じて禁止期間を変える。よって、本実施の形態の制御システム４０によれば、リモコン１００のユーザ操作が行われると、そのユーザ操作の内容に拘わらず一定期間、操作端末１０１のユーザ操作による電気機器１５の制御が行えないシステムと比較して、待機期間を削減することが可能である。
【０１４０】
以上、本発明の実施の形態を説明したが、この発明は上記の実施の形態に限定されず、種々の変形および応用が可能である。
【０１４１】
上述した実施の形態１の電気機器１２は、禁止期間中、ＨＥＭＳコントローラ１１から送信された指示信号を破棄した。また、実施の形態２，３のＨＥＭＳコントローラ１３は、禁止期間中、操作端末１０１から送信された操作信号を破棄した。しかし、これに限られるものではなく、実施の形態１の電気機器１２は、禁止期間中、予め設定された条件を満たした場合に、例外的に、ＨＥＭＳコントローラ１１から送信された指示信号を受け付けてもよい（指示信号に基づいて制御対象部１２３を制御してもよい）。また、実施の形態２，３のＨＥＭＳコントローラ１３は、禁止期間中、予め設定された条件を満たした場合に、例外的に、操作端末１０１から送信された操作信号を受け付け、操作信号に含まれる指示信号を電気機器１４に送信してもよい（指示信号に基づいて制御対象部１２３を制御してもよい）。
【０１４２】
予め定められた条件は、例えば、図１１の例外テーブルに例示される。実施の形態１の電気機器１２で受信した指示信号の内容が冷房温度変更であれば、または、実施の形態２，３のＨＥＭＳコントローラ１３で受信した操作信号の内容が冷房温度変更であれば、例外条件は、「温度の変動幅が２度未満であり、且つ、禁止期間中初めての操作端末１０１による操作」である。
【０１４３】
また、実施の形態１の電気機器１２で受信した指示信号の内容が冷房停止であれば、または、実施の形態２，３のＨＥＭＳコントローラ１３で受信した操作信号の内容が冷房停止であれば、例外条件は、「室内温度測定値が２８度以上であり、且つ、禁止期間中初めての操作端末１０１による操作」である。
【０１４４】
例外テーブルを使用した実施の形態１の電気機器１２の動作を説明する。実施の形態１の電気機器１２は、禁止期間中、指示信号を受信すると、指示信号の内容を特定する。そして、電気機器１２は、指示信号の内容に対応付けられている例外条件を例外テーブルから特定し、現在の状態と操作端末１０１の操作回数（操作信号の送信回数）とが例外条件を満たすか否かを判定する。例外状態を満たす場合、電気機器１２は、例外的に、指示信号を受け付け、指示信号に基づいて、制御対象部１２３を制御する。一方、例外状態を満たさない場合、電気機器１２は、指示信号を破棄する。
【０１４５】
例外テーブルを使用した実施の形態２，３のＨＥＭＳコントローラ１３の動作を説明する。実施の形態２，３のＨＥＭＳコントローラ１３は、禁止期間中、操作信号を受信すると、操作信号に含まれる指示信号の内容を特定する。そして、ＨＥＭＳコントローラ１３は、指示信号の内容に対応付けられている例外条件を例外テーブルから特定し、状態データから特定される電気機器１４の状態と操作端末１０１の操作回数（操作信号の送信回数）とが例外条件を満たすか否かを判定する。例外状態を満たす場合、ＨＥＭＳコントローラ１３は、操作信号に含まれる指示信号を、例外的に、電気機器１４に送信する（制御対象部１２３が制御される）。一方、例外状態を満たさない場合、ＨＥＭＳコントローラ１３は、操作信号を破棄する。
【０１４６】
なお、例外テーブルは、実施の形態１の場合、電気機器１２のテーブル記憶部１２２ａに記憶され、実施の形態２，３の場合、ＨＥＭＳコントローラ１３のテーブル記憶部１１４ａに予め記憶されている。
【０１４７】
上述した実施の形態２，３のＨＥＭＳコントローラ１３は、禁止期間中、操作端末１０１から送信された操作信号を破棄した。しかし、これに限られるものではなく、実施の形態２，３のＨＥＭＳコントローラ１３は、実施の形態４の電気機器１５と同様の動作を行なってもよい。
【０１４８】
即ち、実施の形態２，３のＨＥＭＳコントローラ１３（指示信号送信部１１１ａ）は、禁止期間中に、操作端末１０１から操作信号を受信すると、その操作信号に含まれる指示信号の内容を特定する。そして、ＨＥＭＳコントローラ１３（指示信号送信部１１１ａ）は、指示信号の内容を表す内容信号を、無線通信において（無線通信インタフェース１１２を介したWi-Fi通信において）、最大の信号強度を示す操作端末１０１に（最も近くに位置する操作端末１０１に）、内容信号を送信する。
【０１４９】
内容信号を受信した操作端末１０１は、内容信号の内容をディスプレイに表示して、内容信号の内容で示される制御を許可するか否かの選択をユーザに促す。内容信号の内容で示される制御を許可する旨の操作が行われると、操作端末１０１は、ＨＥＭＳコントローラ１３に許可信号を送信する。なお、内容信号の内容で示される制御を許可しない旨の操作が行われた場合、操作端末１０１は、ＨＥＭＳコントローラ１３に許可信号を送信しない。
【０１５０】
ＨＥＭＳコントローラ１３（指示信号送信部１１１ａ）は、内容信号の送信後、予め設定された設定期間内に、許可信号を受信すると、操作端末１０１から送信された指示信号を、例外的に、電気機器１４に送信する。これにより、電気機器１４は、指示信号の内容に応じて、例外的に、制御対象部１２３を制御する。
【０１５１】
一方、ＨＥＭＳコントローラ１３（指示信号送信部１１１ａ）は、設定期間内に許可信号を受信しなかった場合、操作端末１０１から送信された指示信号を破棄する。
【０１５２】
また、実施の形態４のＨＥＭＳコントローラ１１は、電気機器１５から送信された内容信号を受信すると、その内容信号を、最大の信号強度を示す操作端末１０１に送信したが、これに限られるものではない。即ち、実施の形態４のＨＥＭＳコントローラ１１は、例えば、予め定められた閾値を超える信号強度を示す操作端末１０１（単数でも複数でもよい）に、内容信号を送信してもよい。そして、実施の形態４のＨＥＭＳコントローラ１１は、内容信号を送信した全ての操作端末１０１から許可信号を受信した場合に、電気機器１５に、許可信号を送信するように構成してもよい。
【０１５３】
上述の実施の形態において、制御部１１１，１２１を制御するプログラムは、フレキシブルディスク、ＣＤ−ＲＯＭ（Compact Disc Read−Only Memory）、ＤＶＤ（Digital Versatile Disc）、ＭＯ（Magneto−Optical Disc）等のコンピュータが読み取り可能な記録媒体に格納して配布し、そのプログラムを、コンピュータ等にインストールすることにより、図４，７，８，１０に示す動作、図５に示す処理を実行する制御部１１１，１２１を構成してもよい。
【０１５４】
また、上述のプログラムを、インターネット等の通信ネットワーク上の所定のサーバ装置が有するディスク装置等に格納しておき、例えば、搬送波に重畳させて、ダウンロード等するようにしてもよい。
【０１５５】
また、上述の図４，７，８，１０に示す動作、図５に示す処理を、各ＯＳ（Operating System）が分担して実現する場合、又は、ＯＳとアプリケーションとの協働により実現する場合等には、ＯＳ以外の部分のみを媒体に格納して配布してもよく、また、ダウンロード等してもよい。
【０１５６】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内およびそれと同等の発明の意義の範囲内で施される様々な変形が、本発明の範囲内とみなされる。
【符号の説明】
【０１５７】
１０，２０，３０，４０  制御システム、１１，１３  ＨＥＭＳコントローラ、１２，１４，１５  電気機器、１００  リモコン、１０１  操作端末、１０２  ブロードバンドルータ、１０３  インターネット、１１１，１２１  制御部、１１４，１２２  記憶部、１２３  制御対象部、１２４  指示信号受信部、１１２，１２５  無線通信インタフェース、１１３  有線通信インタフェース、ＢＬ  バスライン。
【図１】
2015035716.tif 000003
【図２】
2015035716.tif 000004
【図３】
2015035716.tif 000005
【図４】
2015035716.tif 000006
【図５】
2015035716.tif 000007
【図６】
2015035716.tif 000008
【図７】
2015035716.tif 000009
【図８】
2015035716.tif 000010
【図９】
2015035716.tif 000011
【図１０】
2015035716.tif 000012
【図１１】
2015035716.tif 000013